(57)【要約】【課題】被記録媒体の切断時における紙粉の発生の抑制を図る。【解決手段】本発明の画像記録装置は、被記録媒体を搬送する搬送手段と、搬送手段により搬送された被記録媒体に対して画像を記録する記録手段と、記録手段により画像が記録された被記録媒体の画像記録面とは反対側から、被記録媒体の搬送方向と交差する方向に被記録媒体を切断する切断手段と、を有する。【選択図】図１
2015112809.tif 000002
【特許請求の範囲】
【請求項１】
被記録媒体を搬送する搬送手段と、
前記搬送手段により搬送された前記被記録媒体に対して画像を記録する記録手段と、
前記記録手段により画像が記録された前記被記録媒体の画像記録面とは反対側から前記被記録媒体を切断する第１の切断手段と、を有することを特徴とする画像記録装置。
【請求項２】
請求項１記載の画像記録装置において、
前記画像記録面側から前記被記録媒体を切断する第２の切断手段と、
前記被記録媒体の種類の入力を受け付ける入力部と、
前記入力部に入力された前記被記録媒体の種類に応じて、前記第１の切断手段および前記第２の切断手段のいずれか一方に、前記被記録媒体を切断させる制御手段と、を有することを特徴とする画像記録装置。
【請求項３】
請求項２記載の画像記録装置において、
前記制御部は、前記被記録媒体の種類が、光沢紙および高分子樹脂基材で構成される被記録媒体である場合には、前記第１の切断手段により前記被記録媒体を切断させ、前記被記録媒体の種類が、前記光沢紙および前記高分子樹脂基材で構成される被記録媒体以外である場合には、前記第２の切断手段により前記被記録媒体を切断させることを特徴とする画像記録装置。
【請求項４】
請求項３記載の画像記録装置において、
前記第１の切断手段により切断される被記録媒体では、コート層が、無機微粒子と合成樹脂材料とからなり、前記無機微粒子の一次粒径が５乃至５０ｎｍであり、かつ、前記無機微粒子が前記コート層の総重量に対して重量百分率で８０乃至９５％を占めることを特徴とする画像記録装置。
【請求項５】
被記録媒体に画像を記録する画像記録装置で行われる前記被記録媒体の切断方法であって、
前記画像が記録された前記被記録媒体の画像記録面とは反対側から前記被記録媒体を切断することを特徴とする切断方法。
【請求項６】
被記録媒体の面に沿って刃を移動することによって被記録媒体を切断する切断装置であって、
前記刃は被記録媒体の記録面とは反対側から切断することを特徴とする切断装置。
【請求項７】
被記録媒体の記録面側から切断する第２の刃をさらに有し、被記録媒体の種類に応じて前記刃または前記第２の刃によって切断する請求項６に記載の切断装置。
【請求項８】
被記録媒体の種類情報を取得する取得手段を有し、取得した種類情報に応じて前記刃または前記第２の刃によって切断する請求項６に記載の切断装置。
【発明の詳細な説明】
【技術分野】
【０００１】
本発明は、被記録媒体を切断する切断手段を有する画像記録装置、被記録媒体の切断方法、および、切断装置に関する。
【背景技術】
【０００２】
インクジェット記録方式の画像記録装置としては、プリンタ、複写機、ファクシミリなどがある。このような画像記録装置は一般に、インクカートリッジやインクタンクに貯留されたインクを吐出する記録ヘッドを有し、被記録媒体上で、記録ヘッドを主走査方向に沿って移動させながらインクを吐出して１走査分の画像を記録する。１走査分の画像の記録が終了すると、被記録媒体が副走査方向に搬送され、その後、再び、記録ヘッドの走査により１走査分の画像が記録される。
【０００３】
上述したような画像記録装置の中には、ロール状の被記録媒体を収容し、画像を記録した被記録媒体をページ単位毎に切断するものがある。このような画像記録装置においては、被記録媒体と記録ヘッドとのギャップを保証するプラテン上に被記録媒体が搬送され、記録ヘッドの走査と被記録媒体の搬送とが繰り返され、画像が記録される。被記録媒体の記録済み部は排紙部材に案内され、１ページ分の画像の記録が終了すると、被記録媒体の記録済み部が、ページ単位毎に切断手段により切断され、排紙部材の下方に設けられたスタック排紙に収納される。
【０００４】
図８は、被記録媒体１０１の搬送方向の下流側から見た、被記録媒体１０１の切断状態を示す図である。被記録媒体１０１は紙背から紙表の方向に向けて搬送されている。
【０００５】
切断手段である丸刃１０４は、被記録媒体１０１の画像記録面に当てられ、被記録媒体１０１の搬送方向と交差する方向（矢印Ｃ方向）に移動する。丸刃１０４の移動に応じて、被記録媒体１０１は、丸刃１０４により切断される。
【０００６】
図９は、上述した切断手段による切断後の被記録媒体１０１の断面図である。図９は、切断面と交差する断面を示している。
【０００７】
被記録媒体１０１は、基材１０２と、基材１０２上に形成されたコート層１０３とから構成される。画像を記録する際には、通常、コート層１０３が上を向き、記録ヘッドと対向するように被記録媒体１０１が搬送される。記録ヘッドからインクが吐出されると、吐出されたインクがコート層１０３で保持されることにより、画像が記録される。１ページ分の画像が記録されると、被記録媒体１０１の上面側から、すなわち、コート層１０３側から被記録媒体が切断される。被記録媒体１０１の上面側から切断することで、たるみなどの発生を抑制し、安定した切断が可能となる。
【０００８】
図８に示される切断状態において、被記録媒体１０１は、丸刃１０４により切断片を下方に押して引き裂くように切断される。そのため、コート層１０３における丸刃１０４近傍の領域Ｆでは、被記録媒体１０１が垂れ下がり、コート層面Ｄ側の方が、基材面Ｅ側よりも曲率半径が大きくなる。このため、矢印に示されるように、コート層面Ｄ側では、コート層に引張応力がかけられた状態となり、基材面Ｅ側では、収縮方向に力が作用する。この引張応力により、図９に示すように、被記録媒体１０１が厚み方向に変形したり、コート層１０３の一部１０３ａが剥離して、紙粉が発生したりするという問題がある。
【０００９】
上述した問題に対して、特許文献１（特開２００７−１６０５５３号公報）には、排紙部材上の被記録媒体の高さを調節する高さ切換部材を備えた画像記録装置が開示されている。
【００１０】
特許文献１に開示されている画像記録装置においては、被記録媒体のカットラインよりも搬送方向の下流側にある排紙部材上の被記録媒体の高さを、高さ切換え部材によりプラテンよりも高くした状態で、被記録媒体のコート層側から被記録媒体が切断される。
【００１１】
カットラインよりも搬送方向の下流側にある被記録媒体の高さをプラテンよりも高くすることで、カットライン付近の被記録媒体は、コート層が圧縮された状態となる。この状態で、コート層側から被記録媒体を切断することにより、コート層にかかる引張応力を減らし、コート層の剥離を緩和することができる。
【先行技術文献】
【特許文献】
【００１２】
【特許文献１】特開２００７−１６０５５３号公報
【発明の概要】
【発明が解決しようとする課題】
【００１３】
特許文献１に開示されている画像記録装置においては、コート層を収縮させた状態で被記録媒体を切断することで、コート層の剥離の緩和を図っているが、コート層側から被記録媒体を切断しているため、被記録媒体の切断片が下方に引き裂かれていく。そのため、被記録媒体の切断片が下方に引き裂かれていくことでコート層にはやはり引張応力がかかることとなり、コート層が剥離し、紙粉の発生を十分に抑制することができない。
【００１４】
本発明の目的は、被記録媒体の切断時における紙粉の発生の抑制を図ることができる画像記録装置、被記録媒体の切断方法、および、切断装置を提供することにある。
【課題を解決するための手段】
【００１５】
上記目的を達成するために本発明の画像記録装置は、
被記録媒体を搬送する搬送手段と、
前記搬送手段により搬送された前記被記録媒体に対して画像を記録する記録手段と、
前記記録手段により画像が記録された前記被記録媒体の画像記録面とは反対側から前記被記録媒体を切断する第１の切断手段と、を有する。
【００１６】
上記目的を達成するために本発明の切断方法は、
被記録媒体に画像を記録する画像記録装置で行われる前記被記録媒体の切断方法であって、
前記画像が記録された前記被記録媒体の画像記録面とは反対側から前記被記録媒体を切断する。
【００１７】
上記目的を達成するために本発明の切断装置は、
被記録媒体の面に沿って刃を移動することによって被記録媒体を切断する切断装置であって、
前記刃は被記録媒体の記録面とは反対側から切断する。
【発明の効果】
【００１８】
本発明によれば、被記録媒体の画像記録面とは反対側から被記録媒体を切断する。そのため、被記録媒体は、画像記録面であるコート層側へ切り上げられ、コート層面には収縮方向に力が作用した状態で切断されるので、コート層の剥離による紙粉の発生を抑制することができる。
【図面の簡単な説明】
【００１９】
【図１】本発明の一実施形態に係る画像記録装置の概略斜視図である。
【図２】図１に示す画像記録装置の概略断面図である。
【図３】図１に示す画像記録装置の概略断面図である。
【図４】図１に示す画像記録装置の制御系統の構成を示すブロック図である。
【図５】図１に示す画像記録装置の制御系統の動作を示すフローチャートである。
【図６】図１に示す画像記録装置の下丸刃による被記録媒体の切断状態を示す図である。
【図７】図１に示す画像記録装置の上丸刃による被記録媒体の切断状態を示す図である。
【図８】切断手段による切断後の被記録媒体の断面図である。
【図９】被記録媒体のコート層側からの切断状態を示す図である。
【発明を実施するための形態】
【００２０】
以下に、本発明を実施するための形態について図面を参照して説明する。なお、以下では、各図面において、同一の構成については同じ符号を付し、重複する説明は省略する。
【００２１】
図１は、本発明の一実施形態に係る画像記録装置１００の概略斜視図である。また、図２、図３は、画像記録装置１００の概略断面図である。なお、以下では、画像記録装置１００は、シリアルタイプのインクジェットプリンタである場合を例として説明する。
【００２２】
まず、画像記録装置１００の構成について説明する。
【００２３】
画像記録装置１００は、被記録媒体１０１を搬送する搬送手段としての搬送ローラ３と、記録手段としての記録ヘッド１と、を有する。記録ヘッド１と対向する位置には、記録ヘッド１と被記録媒体１０１とのギャップを保証するとともに、画像記録装置１００のシャーシを兼用するプラテン４が配置されている。記録ヘッド１は、レール２の軸線に沿ってプラテン４の上部を往復移動する。
【００２４】
被記録媒体１０１は、基材と、基材上に形成されたコート層とから構成される。被記録媒体１０１は、コート層が記録ヘッド１と対向するように搬送され、記録ヘッド１から吐出されたインクがコート層で保持されることで、画像が記録される。
【００２５】
プラテン４に対して、被記録媒体１０１の搬送方向Ａの下流側には、搬送方向Ａと交差する方向に移動する第２の切断手段としての上丸刃ユニット１０と、上丸刃ユニット１０の移動経路に沿って配置された下固定刃６とが設けられている。上丸刃ユニット１０は、丸刃ホルダー２０に着脱自在に固定が可能である。上丸刃ユニット１０は、モータ３０により駆動される。
【００２６】
上丸刃ユニット１０内の上丸刃１１の刃先と下固定刃６の刃先とは当接し、上丸刃ユニット１０が移動することで、下固定刃６の刃先に一致するカットラインに沿って被記録媒体１０１が切断される。被記録媒体１０１は、コート層が記録ヘッド１と対向するように搬送されるため、上丸刃ユニット１０により上面側から、すなわち、上丸刃１１の刃先が画像記録面であるコート層側から切り込んで切断される。
【００２７】
丸刃ユニット１０のさらに下流側には、搬送方向Ａと交差する方向に移動する第１の切断手段としての下丸刃ユニット４０と、下丸刃ユニット４０の移動経路に沿って配置された上固定刃９とが設けられている。下丸刃ユニット４０は、モータ３１により駆動される。
【００２８】
下丸刃ユニット４０内の下丸刃４１の刃先と上固定刃９の刃先とは当接し、下下丸刃ユニット４０が移動することで、上固定刃９の刃先に一致するカットラインに沿って被記録媒体１０１が切断される。被記録媒体１０１は、コート層が記録ヘッド１と対向するように搬送されるため、下丸刃ユニット４０により下面側から、すなわち、下丸刃４１の刃先が画像記録面であるコート層とは反対側の基材側から切り込んで切断される。
【００２９】
丸刃ユニット４０のさらに下流側には、被記録媒体１０１の画像が記録された部分（記録済み部）１０１ａを、プリンタ外部へと案内するための排紙部材７が設けられている。排紙部材７の下方には、記録済み部１０１ａが排紙されるスタック部材８が設けられている。切断された記録済み部１０１ａは、搬送ガイド５０に沿って排紙部材７まで搬送され、スタック部材８に排紙される。
【００３０】
次に、画像記録装置１００における、被記録媒体１０１の給紙からスタック部材８への排紙までの一連の動作について説明する。
【００３１】
まず、被記録媒体１０１が搬送ローラ３によりプラテン４まで搬送される。プラテン４の上部に配置された記録ヘッド１が、レール２に沿って往復移動し、１回の走査（往動または復動）により、被記録媒体１０１に１走査分の画像が記録される。１走査分の画像が記録されると、被記録媒体１０１は、搬送ローラ３により搬送方向Ａに所定のピッチで搬送される。その後、再び、記録ヘッド１が移動して、１走査分の画像が記録される。
【００３２】
被記録媒体１０１の搬送と記録ヘッド１の走査との繰り返しにより、１ページ分の画像の記録が終了すると、搬送ローラ３により、所定の切断位置まで被記録媒体１０１が搬送される。
【００３３】
次に、被記録媒体１０１を切断する切断手段として、上丸刃ユニット１０および下丸刃ユニット４０のいずれか一方が選択される。丸刃ユニットの選択方法については後述する。
【００３４】
次に、選択された丸刃ユニットに対応するモータが駆動される。
【００３５】
例えば、下丸刃ユニット４０が選択された場合には、モータ３１が駆動される。モータ３１が駆動されることにより、下丸刃ユニット４０が矢印Ｂに示す方向に移動し、下丸刃４１と上固定刃９とにより、図２に示すように、被記録媒体１０１が下面側（基材側）から切断される。切断後の位置まで下丸刃ユニット４０が移動すると、搬送方向Ａの下流側にある記録済み部１０１ａが切り離され、排紙部材７を介してスタック部材８に排紙される。
【００３６】
このとき、上丸刃ユニット１０は、被記録媒体１０１の搬送経路から外れた待機位置にある。そのため、被記録媒体１０１は、下固定刃６上を通過し、搬送ガイド５０上を搬送され、下丸刃ユニット５０に到達する。なお、図２においては、待機位置にある上丸刃ユニット１０を点線で示している。
【００３７】
また、上丸刃ユニット１０が選択された場合には、モータ３０が駆動される。モータ３０が駆動されることにより、上丸刃ユニット１０が矢印Ｂに示す方向に移動し、下丸刃１１と下固定刃６とにより、図３に示すように、被記録媒体１０１が上面側（コート層側）から切断される。切断後の位置まで上丸刃ユニット１０が移動すると、搬送方向Ａの下流側にある記録済み部１０１ａが切り離され、排紙部材７を介してスタック部材８に排紙される。
【００３８】
このとき、下丸刃ユニット４０は、被記録媒体１０１の搬送経路から外れた待機位置にある。そのため、被記録媒体１０１は、上固定刃６の直下を通過していく。なお、図３においては、待機位置にある下丸刃ユニット４０を点線で示している。
【００３９】
次に、画像記録装置１００の制御系統の構成について説明する。
【００４０】
図４は、画像記録装置１００の制御系統の構成を示すブロック図である。
【００４１】
制御部３０３は、入力部としてのＩ／Ｆ３０２を介して画像記録装置１００外部のパーソナルコンピュータなどのホスト装置３０１との間で入出力を行う。例えば、Ｉ／Ｆ３０２を介して、被記録媒体１０１の種類が入力される。
【００４２】
制御部３０３は、ＲＯＭ（Ｒｅａｄ  Ｏｎｌｙ  Ｍｅｍｏｒｙ）３０４と、ＲＡＭ（Ｒａｎｄｏｍ  Ａｃｃｅｓｓ  Ｍｅｍｏｒｙ）３０５と、ＣＰＵ（Ｃｅｎｔｒａｌ  Ｐｒｏｃｅｓｓｉｎｇ  Ｕｎｉｔ）３０６と、を有する。
【００４３】
ＲＯＭ３０４は、画像記録装置１００内の各構成の動作を制御するための制御プログラムおよび制御プログラムの実行に使用されるデータなどを予め格納する。
【００４４】
ＲＡＭ３０５は、ＲＯＭ３０４から読み出されたデータおよび制御プログラムに基づいて算出されたデータなどを格納する。
【００４５】
制御手段としてのＣＰＵ３０６は、ＲＯＭ３０４に記憶されている制御プログラムを実行し、画像記録装置１００全体の動作を制御する。例えば、ＣＰＵ３０６は、被記録媒体１０１の切断に用いる切断手段として、上丸刃ユニット１０および下丸刃ユニット４０のいずれか一方を選択し、選択した丸刃ユニットに被記録媒体１０１を切断させる。
【００４６】
具体的には、ＣＰＵ３０６は、被記録媒体１０１の種類に応じて、被記録媒体１０１の切断に用いる切断手段として、上丸刃ユニット１０および下丸刃ユニット４０のいずれか一方を選択する。
【００４７】
ここで、ＣＰＵ３０６には、被記録媒体１０１の種類と、その被記録媒体１０１の切断に用いる切断手段（上丸刃ユニット１０または下丸刃ユニット４０）とを対応付けた対応データが予め入力されている。
【００４８】
被記録媒体１０１の種類がＩ／Ｆ３０２を介してホスト装置３０１から入力されると、ＣＰＵ３０６は、対応データを参照し、入力された被記録媒体１０１の種類に対応する切断手段を、被記録媒体１０１の切断に用いる切断手段として選択する。Ｉ／Ｆ３０２は被記録媒体１０１の種類に関する情報を取得する取得手段である。
【００４９】
上丸刃ユニット１０を選択した場合には、ＣＰＵ３０６は、モータ３０を駆動する駆動回路３０８にモータ３０の駆動を指示する。また、下丸刃ユニット４０を選択した場合には、ＣＰＵ３０６は、モータ３１を駆動する駆動回路３０７にモータ３１の駆動を指示する。
【００５０】
なお、ＣＰＵ３０６は、被記録媒体１０１の種類が光沢紙、もしくは、ポリプロピレン（ＰＰ）、ポリエチレン（ＰＥ）などの高分子樹脂基材ベースの被記録媒体であるか否かに応じて、丸刃ユニットを選択する。
【００５１】
具体的には、ＣＰＵ３０６は、被記録媒体１０１の種類が、光沢紙もしくは上述した高分子樹脂基材ベースの被記録媒体である場合には、下丸刃ユニット４０を選択する。一方、ＣＰＵ３０６は、被記録媒体１０１の種類が、光沢紙もしくは上述した高分子樹脂基材ベースの被記録媒体以外である場合には、上丸刃ユニット１０を選択する。
【００５２】
次に、画像記録装置１００の被記録媒体１０１の切断時の動作について、図５に示すフローチャートを参照して説明する。
【００５３】
ＣＰＵ３０６は、Ｉ／Ｆ３０２を介してホスト装置３０１から被記録媒体１０１の種類の入力を受け付けると（ステップＳ２０１）、搬送ローラ３に被記録媒体１０１を搬送させる。
【００５４】
次に、ＣＰＵ３０６は、記録ヘッド１の走査と被記録媒体１０１の搬送とを繰り返して、被記録媒体１０１に画像を記録する（ステップＳ２０２）。
【００５５】
被記録媒体３０１への画像の記録が終了すると、（ステップＳ２０３）、ＣＰＵ３０６は、入力された被記録媒体１０１の種類が、光沢紙もしくは上述した高分子樹脂基材ベースの被記録媒体であるか否かを判定する（ステップＳ２０４）。
【００５６】
入力された被記録媒体１０１の種類が、光沢紙もしくは上述した高分子樹脂基材ベースの被記録媒体である場合には（ステップＳ２０４：Ｙｅｓ）、ＣＰＵ３０６は、下丸刃ユニット４０を選択し、駆動回路３０７にモータ３１の駆動を指示する。
【００５７】
ＣＰＵ３０６からの指示を受けて、駆動回路３０７は、モータ３１を駆動する。モータ３１の駆動に応じて、下丸刃ユニット４０が移動し、被記録媒体１０１が切断される（ステップＳ２０５）。切断された記録済み部１０１ａは、スタック部材８に排紙される（ステップＳ２０６）。
【００５８】
一方、入力された被記録媒体の種類が、光沢紙もしくは上述した高分子樹脂基材ベースの被記録媒体以外である場合には（ステップＳ２０４：Ｎｏ）、ＣＰＵ３０６は、上丸刃ユニット１０を選択し、駆動回路３０８にモータ３０の駆動を指示する。
【００５９】
ＣＰＵ３０６からの指示を受けて、駆動回路３０８は、モータ３０を駆動する。モータ３０の駆動に応じて、上丸刃ユニット１０が移動し、被記録媒体１０１が切断される（ステップＳ２０７）。切断された記録済み部１０１ａは、スタック部材８に排紙される（ステップＳ２０８）。
【００６０】
次に、下丸刃ユニット４０および上丸刃ユニット１０それぞれによる被記録媒体１０１の切断時の作用について説明する。
【００６１】
まず、下丸刃ユニット４０による被記録媒体１０１の切断時の作用について説明する。
【００６２】
一般に、光沢紙もしくは上述した高分子樹脂基材ベースの被記録媒体は、コート層が脆い。そのため、これらの被記録媒体をコート層に引張応力がかかる方法で切断すると、大量の紙粉が発生してしまうことがある。
【００６３】
本実施形態においては、被記録媒体１０１の種類が、光沢紙もしくは上述した高分子樹脂基材ベースの被記録媒体である場合には、下丸刃ユニット４０により被記録媒体１０１の下面（基材）側から被記録媒体を切断する。
【００６４】
図６は、被記録媒体１０１の搬送方向の下流側から見た、下丸刃４１による被記録媒体１０１の切断状態を示す図である。
【００６５】
図６に示すように、下丸刃４１は、矢印Ｃに示す方向に移動しながら、被記録媒体１０１の基材面Ｅ側から被記録媒体１０１を切断する。このとき、下丸刃４１の中心は、被記録媒体１０１の基材面Ｅよりも下の位置にある。そのため、下丸刃４１は、反時計まわりに回転しながら被記録媒体１０１の基板面Ｅ側から切り込み始め、回転作用により、被記録媒体１０１の切断片を切り上げるように被記録媒体１０１を切断していく。
【００６６】
そのため、下丸刃４１の近傍では、コート層面Ｄ側の方が、基材面Ｅ側よりも、曲率半径が小さくなる。このため、コート層面Ｄ側には収縮方向の力が作用するので、被記録媒体１０１の種類が、光沢紙もしくは上述した高分子樹脂基材ベースの被記録媒体である場合にも、コート層の剥離による紙粉の発生を抑制することができる。
【００６７】
なお、下丸刃４１による切断時には、切断片を切り上げるように被記録媒体１０１が切断される。そのため、剛性の小さい被記録媒体１０１を下丸刃４１により切断しようとすると、被記録媒体１０１がたるんでしまい、安定して切断できない場合がある。そこで、本実施形態においては、被記録媒体１０１が、コート層が脆く、また、剛性が大きい、光沢紙もしくは上述した高分子樹脂基材ベースの被記録媒体である場合には、下丸刃４１により切断する。
【００６８】
次に、上丸刃ユニット１０による被記録媒体１０１の切断時の作用について説明する。
【００６９】
一般に、光沢紙もしくは上述した高分子樹脂基材ベースの被記録媒体以外の被記録媒体では、コート層の剥離により、大量の紙粉が発生することは少ない。
【００７０】
本実施形態においては、被記録媒体１０１の種類が、光沢紙もしくは上述した高分子樹脂基材ベースの被記録媒体以外である場合には、上丸ユニット１０により被記録媒体１０１の上面（コート層）側から被記録媒体を切断する。
【００７１】
図７は、被記録媒体１０１の搬送方向の下流側から見た、上丸刃１１による被記録媒体１０１の切断状態を示す図である。
【００７２】
図７に示すように、上丸刃１１は、矢印Ｃに示す方向に移動しながら、被記録媒体１０１のコート層面Ｄ側から被記録媒体１０１を切断する。このとき、上丸刃１１の中心は、被記録媒体１０１のコート層面Ｄよりも上の位置にある。そのため、上丸刃１１は、時計回りに回転しながら被記録媒体１０１のコート層面Ｅ側から切り込み始め、回転作用により、被記録媒体１０１の切断片を引き下げるように被記録媒体１０１を切断していく。
【００７３】
そのため、上丸刃１１の近傍では、コート層面Ｄ側の方が、基材面Ｅ側よりも、曲率半径が大きくなる。このため、被記録媒体１０１の切断片の基板面Ｅ側には収縮方向の力が作用し、コート層Ｄ側には引張応力がかかる。したがって、コート層が脆い被記録媒体１０１を上丸刃ユニット１０により切断すると、コート層の剥離により大量の紙粉が発生してしまうことがある。しかし、本実施形態においては、被記録媒体１０１の種類が、コート層が脆い被記録媒体（光沢紙もしくは上述した高分子樹脂基材ベースの被記録媒体）以外である場合に、上丸ユニット１０により被記録媒体１０１を切断する。そのため、コート層の剥離による紙粉の発生を抑制することができる。
【００７４】
また、上丸刃ユニット１０による切断時には、上丸刃１１に対して重力方向に対向する位置に配置された下固定刃６（図７において不図示）の直上に被記録媒体１０１が搬送され、上丸刃１１と下固定刃６とにより被記録媒体１０１が切断される。そのため、剛性の小さい被記録媒体１０１であっても、たるみなどが抑制され、安定的な切断が可能となる。
【００７５】
なお、下丸刃ユニット４０により切断する光沢紙もしくは上述した高分子樹脂基材ベースの被記録媒体では、コート層が以下のように構成されている。すなわち、上述した被記録媒体では、コート層が、無機微粒子とバインダである合成樹脂材料とからなり、無機微粒子の一次粒径が５乃至５０ｎｍであり、かつ、無機微粒子がコート層の総重量に対して重量百分率で８０乃至９５％を占める。
【００７６】
上述した構成のコート層を有する被記録媒体を、実際に、上丸刃によりコート層側から切断した場合には、コート層の割れ散りが起こり、紙粉が発生した。一方、下丸刃により基材側から切断した場合には、コート層の割れ散りは起こらず、紙粉の発生が抑制された。
【００７７】
また、上丸刃ユニット１０により切断する被記録媒体としては、布系の被記録媒体がある。布系の被記録媒体においては、コート層が、無機微粒子とバインダである合成樹脂材料とからなり、無機微粒子の一次粒径が５０ｎｍより大きく、かつ、無機微粒子がコート層の総重量に対して重量百分率で８０未満である。
【００７８】
上述した構成のコート層を有する被記録媒体を、実際に、下丸刃により基材側から切断した場合には、被記録媒体の剛性が小さく、たるみが発生するために、安定した切断ができなかった。一方、上丸刃によりコート層側から切断した場合には、たるみなどが発生することなく安定した切断が可能であるとともに、コート層の割れ散りは起こらず、紙粉の発生が抑制された。
【００７９】
このように、本実施形態においては、画像記録装置１００は、搬送され、画像が記録された被記録媒体を、画像記録面とは反対側から切断する下丸刃ユニット４０を有する。
【００８０】
そのため、被記録媒体１０１は、画像記録面であるコート層側へ切り上げられ、コート層面に収縮方向の力が作用した状態で、切断されるので、コート層にかかる引張応力を低減し、コート層の剥離による紙粉の発生を抑制することができる。
【００８１】
また、本実施形態においては、画像記録装置１００は、被記録媒体を画像記録面側から切断する上丸刃ユニット１０をさらに有し、被記録媒体の種類に応じて、下丸刃ユニット４０および下丸刃ユニット１０のいずれか一方により被記録媒体を切断する。
【００８２】
そのため、被記録媒体の種類がコート層の剥離により紙粉を発生させる可能性の高い被記録媒体である場合には、下丸刃ユニット４０により被記録媒体を切断することで、紙粉の発生を抑制することができる。また、被記録媒体の種類がコート層の剥離により紙粉を発生させる可能性の少ない被記録媒体である場合には、上丸刃ユニット４０により被記録媒体を切断することで、紙粉の発生を抑制するとともに、被記録媒体を安定して切断することができる。
【００８３】
なお、被記録媒体の種類に関する情報は、被記録媒体に光を照射してその反射光量などから紙種を判断する紙種センサによっても取得することができる。紙種センサを被記録媒体の種類情報を取得する取得手段として利用することも可能である。
【符号の説明】
【００８４】
１    記録ヘッド
２    レール
３    搬送ローラ
４    プラテン
６    下固定刃
７    排紙部材
８    スタック部材
９    上固定刃
１０    上丸刃ユニット
１１    上丸刃
４０    下丸刃ユニット
４１    下丸刃
５０    搬送ガイド
３０，３１    モータ
３０３    制御部
３０４    ＲＯＭ
３０５    ＲＡＭ
３０６    ＣＰＵ
３０７，３０８    駆動回路
１００    画像記録装置
１０１    被記録媒体
【図１】
2015112809.tif 000003
【図２】
2015112809.tif 000004
【図３】
2015112809.tif 000005
【図４】
2015112809.tif 000006
【図５】
2015112809.tif 000007
【図６】
2015112809.tif 000008
【図７】
2015112809.tif 000009
【図８】
2015112809.tif 000010
【図９】
2015112809.tif 000011